(57)【要約】【課題】  マトリックススイッチを備えるルーティング装置においてリエントリ入力の制御を高速化する。。【解決手段】  ルーティング装置１は、入力チャンネルｉ１〜ｉ１０、出力チャンネルｏ１〜ｏ９、及び、出力チャンネルｏ１〜ｏ５の出力を入力チャンネルｉ６〜ｉ１０に入力するリエントリ経路ｒ１〜ｒ５を有するマトリックススイッチ１１と、入力チャンネルｉ１〜ｉ１０と出力チャンネルｏ１〜ｏ９との接続を制御する制御部１２と、制御部１２が入力チャンネルｉ１をリエントリ経路ｒ１に接続される大元の出力チャンネルｏ１に接続し、大元の出力チャンネルｏ１を、リエントリ経路ｒ１、ｒ２を介して特定の出力チャンネルｏ２、ｏ３に順番に接続するとき、特定の出力チャンネルｏ２、ｏ３に対応させて出力チャンネルｏ１のグループ識別情報及び順番を保持するリエントリグループ管理部１３を有する。【選択図】      図１
2020005220.tif 000002
【特許請求の範囲】
【請求項１】
複数の入力チャンネル、複数の出力チャンネル、及び、前記複数の出力チャンネルの一部の出力チャンネルの出力を前記複数の入力チャンネルの一部の入力チャンネルに入力するリエントリ経路、を有するマトリックススイッチと、
前記複数の入力チャンネルと前記複数の出力チャンネルとの接続を制御する制御部と、
前記制御部が前記複数の入力チャンネルの１つを前記リエントリ経路に接続される大元の出力チャンネルに接続し、前記大元の出力チャンネルを、前記リエントリ経路を介して１以上の特定の出力チャンネルに順番に接続するとき、前記１以上の特定の出力チャンネルに対応させて前記大元の出力チャンネルのグループの識別情報及び前記大元の出力チャンネルを接続する順番を保持するリエントリグループ管理部と、
を有するルーティング装置。
【請求項２】
前記制御部は、前記複数の入力チャンネルの１つと異なる新たな入力チャンネルを、同じグループに属する１以上の出力チャンネルに接続する場合、前記グループを分断する順番を決定し、決定された前記グループを分断する順番の出力チャンネルを新たな入力チャンネルに接続する、
請求項１に記載のルーティング装置。
【請求項３】
前記制御部は、前記新たな入力チャンネルに接続する前記１以上の出力チャンネルのうち前記順番が最も上位である出力チャンネルの順番を、前記グループを分断する順番と決定する、請求項２に記載のルーティング装置。
【請求項４】
前記制御部は、前記複数の出力チャンネルを前記複数の入力チャンネルの１つに接続するよう指示されたとき、通常制御とする前記大元の出力チャンネルを決定し、前記大元の出力チャンネルを、前記リエントリ経路を介して１以上の特定の出力チャンネルに接続する順番を決定する、請求項１から３のいずれかに記載のルーティング装置。
【請求項５】
複数の入力チャンネル、複数の出力チャンネル、及び、前記複数の出力チャンネルの一部の出力チャンネルの出力を前記複数の入力チャンネルの一部の入力チャンネルに入力するリエントリ経路、を有するマトリックススイッチを備えるルーティング装置の制御方法であって、
前記複数の入力チャンネルの１つを前記リエントリ経路に接続される大元の出力チャンネルに接続し、
前記大元の出力チャンネルを、前記リエントリ経路を介して１以上の特定の出力チャンネルに順番に接続し、
前記特定の出力チャンネルに対応させて前記大元の出力チャンネルのグループの識別情報及び前記大元の出力チャンネルを接続する順番を保持する、
ルーティング制御方法。
【発明の詳細な説明】
【技術分野】
【０００１】
本発明は、ルーティング装置及びその制御方法に関し、特に、マトリックススイッチを備えるルーティング装置及びその制御方法に関する。
【背景技術】
【０００２】
放送局のシステムの各機器の接続に用いられるルーティング装置には、それぞれ入力チャンネルに接続され一方向に配列された複数の入力線と、出力チャンネルに接続され入力線と交差して他方向に配列された複数の出力線と、入力線および出力線が交差する各クロスポイントで入力線と出力線の接続を行うマトリックススイッチが用いられている。またマトリックススイッチは、出力チャンネルから出力される信号を、入力チャンネルにリエントリするリエントリ経路を備えたマトリックススイッチが備えられている。
【０００３】
関連技術として、例えば特許文献１には、リエントリ経路を備えたマトリックススイッチと、入力側にマトリックススイッチの出力線の一部が接続された出力ブロックと、出力ブロックの出力側に接続された複数の出力端子を有する画像処理部を備えた画像処理装置が開示されている。また特許文献１の画像処理装置には、入力側にマトリックススイッチの出力線の一部が接続され、出力側がリエントリ経路によりマトリックススイッチの入力線の一部に接続された信号処理ブロックが備えられている。また特許文献１の画像処理装置は、外部ケーブルによる接続に対応して、複数の出力端子から選択された第１の端子を外部リエントリ出力端子として設定し、複数の入力端子から選択された第２の端子を外部リエントリ入力端子として設定する外部リエントリ設定部を備えている。
【先行技術文献】
【特許文献】
【０００４】
【特許文献１】特開２０１０−２４６０５８号公報
【発明の概要】
【発明が解決しようとする課題】
【０００５】
上述のようなリエントリ経路を備えるマトリックススイッチでは、出力チャンネルを入力チャンネルにリエントリ経路を介して接続し、出力チャンネルの出力がリエントリされて入力される入力チャンネルを別の出力チャンネルに接続することで、マトリックススイッチの２つの出力チャンネルから同じ信号を出力することができる。例えばマトリックススイッチの出力チャンネルから本線系の装置に出力される映像信号が、リエントリされて入力される入力チャンネルを、監視装置に接続される他の出力チャンネルに接続することで、マトリックススイッチから映像信号を本線系の装置に出力するとともにその映像信号を監視することもできる。
【０００６】
しかしながらリエントリ入力の制御は、特にリエントリが重複して何段にもなった場合、制御が比較的複雑になるため制御を指示してから制御が完了するまでに時間がかかる。
【０００７】
本発明は、リエントリ入力の制御を高速化することを主な目的としている。
【課題を解決するための手段】
【０００８】
本発明の１つの側面によるルーティング装置は、複数の入力チャンネル、複数の出力チャンネル、及び、前記複数の出力チャンネルの一部の出力チャンネルの出力を前記複数の入力チャンネルの一部の入力チャンネルに入力するリエントリ経路、を有するマトリックススイッチと、前記複数の入力チャンネルと前記複数の出力チャンネルとの接続を制御する制御部と、前記制御部が、前記複数の入力チャンネルの１つを前記リエントリ経路に接続される大元の出力チャンネルに接続し、前記大元の出力チャンネルを、前記リエントリ経路を介して１以上の特定の出力チャンネルに順番に接続するとき、前記１以上の特定の出力チャンネルに対応させて前記大元の出力チャンネルのグループの識別情報及び前記大元の出力チャンネルを接続する順番を保持するリエントリグループ管理部と、を有する。
【０００９】
本発明の１つの側面による制御方法は、複数の入力チャンネル、複数の出力チャンネル、及び、前記複数の出力チャンネルの一部の出力チャンネルの出力を前記複数の入力チャンネルの一部の入力チャンネルに入力するリエントリ経路、を有するマトリックススイッチを備えるルーティング装置の制御方法であって、前記複数の入力チャンネルの１つを前記リエントリ経路に接続される大元の出力チャンネルに接続し、前記大元の出力チャンネルを、前記リエントリ経路を介して１以上の特定の出力チャンネルに順番に接続し、前記１以上の特定の出力チャンネルに対応させて前記大元の出力チャンネルのグループの識別情報及び前記大元の出力チャンネルを接続する順番を保持する。
【発明の効果】
【００１０】
本発明の上記側面によれば、リエントリ入力の制御を高速化することができる。
【図面の簡単な説明】
【００１１】
【図１】図１は、第１の実施形態のルーティング装置の構成の一例を示すブロック図である。
【図２】図２は、図１の制御部に指示される第１の接続制御の概要を示す図である。
【図３】図３は、第１の接続制御において図１の制御部１２が行う制御内容であり、リエントリグループ管理部が記憶する内容の一例を示す図である。
【図４】図４は、第１の接続制御における図１の動作を示すフローチャートである。
【図５】図５は、図１の制御部に指示される第２の接続制御の概要を示す図である。
【図６】図６は、第２の接続制御において図１の制御部が行う制御内容であり、リエントリグループ管理部が記憶する内容の一例を示す図である。
【図７】図７は、第２の接続制御における図１の動作を示す図である。
【図８】図８は、第２の接続制御における動作を示すフローチャートである。
【図９】図９は、第３の接続制御の概要を示す図である。
【図１０】図１０は、第３の接続制御において図１の制御部が行う制御内容であり、リエントリグループ管理部が記憶する内容の一例を示す図である。
【図１１】図１１は、第３の接続制御における図１の動作を示す図である。
【発明を実施するための形態】
【００１２】
次に例示的な第１の実施形態について図面を参照して説明する。図１は、第１の実施形態のルーティング装置の構成の一例を示すブロック図である。ルーティング装置１は、図１に示すように、マトリックススイッチ１１と、制御部１２と、リエントリグループ管理部１３を備えている。
【００１３】
マトリックススイッチ１１は、複数の入力チャンネルｉ１〜ｉ１０、複数の出力チャンネルｏ１〜ｏ９、及び、複数の出力チャンネルｏ１〜ｏ９の一部の出力チャンネルｏ１〜ｏ５の出力を複数の入力チャンネルｉ１〜ｉ１０の一部の入力チャンネルｉ６〜ｉ１０に入力するリエントリ経路ｒ１〜ｒ５、を備えている。なおマトリックススイッチ１１の入力チャンネル及び出力チャンネルの数は図１に示すものは一例であり、任意の数としてよい。
【００１４】
またマトリックススイッチ１１はＩＰ（ＩｎｔｅｒｎｅｔＰｒｏｔｏｃｏｌ）信号を分配するＩＰスイッチとしてもよい。この場合、マトリックススイッチ１１の各入力チャンネルに図示しないＩＰ変換器（ＴＸ）が接続され、ルーティング装置１に入力されるＳＤＩ形式等の映像信号がＩＰ変換器（ＴＸ）によってＩＰ信号に変換されてマトリックススイッチ１１の各入力チャンネルに入力されてもよい。またマトリックススイッチ１１の各出力チャンネルにＩＰ変換器（ＲＸ）が接続され、各出力チャンネルから出力される信号がＩＰ変換器（ＲＸ）によってＳＤＩ（Ｓｅｒｉａｌ  Ｄｉｇｉｔａｌ  Ｉｎｔｅｒｆａｃｅ）形式等の映像信号に変換されて出力されてもよい。
【００１５】
制御部１２は、複数の入力チャンネルｉ１〜ｉ１０と複数の出力チャンネルｏ１〜ｏ９との接続を制御する。例えば、制御部１２は、Ｎ個の出力チャンネルを同じ１つの入力チャンネルと接続するよう指示される。
【００１６】
図２は、図１の制御部に指示される第１の接続制御の概要を示す図である。図２は、制御部１２に、入力チャンネルｉ１から入力された映像信号を３つの出力チャンネルｏ１、ｏ２、ｏ３に分配するよう指示される例である。また図３は、第１の接続制御において図１の制御部１２が行う制御内容であり、リエントリグループ管理部が記憶する内容の一例を示す図である。図２の接続制御の指示により、制御部１２は、図３に示すように、出力チャンネルｏ１を、通常制御とし、入力チャンネルｉ１に接続する。また制御部１２は、出力チャンネルｏ２を、大元の出力チャンネルがｏ１である「リエントリグループＡ」とし、順番を１番目とする。また出力チャンネルｏ３は、大元の出力チャンネルがｏ１である「リエントリグループＡ」とし、順番を２番目とする。
【００１７】
この場合、制御部１２は、図１に示すように、例えば映像信号が入力されるマトリックススイッチ１１の入力チャンネルｉ１と、リエントリ経路に接続される出力チャンネルｏ１とのクロスポイントにおいて、入力チャンネルｉ１と出力チャンネルｏ１を接続する。このようにして制御部１２は、映像信号が入力される入力チャンネルｉ１をリエントリ経路に接続される大元の出力チャンネルｏ１に接続する。
【００１８】
また制御部１２は、大元の出力チャンネルｏ１にリエントリ経路ｒ１、ｒ２を介して特定の出力チャンネルｏ２、ｏ３を順番に接続する。すなわち制御部１２は、マトリックススイッチ１１の出力チャンネルｏ１にリエントリ経路ｒ１を介して接続される入力チャンネルｉ６と出力チャンネルｏ２のクロスポイントにおいて、入力チャンネルｉ６と出力チャンネルｏ２を接続する。
【００１９】
このようにして、制御部１２は、出力チャンネルｏ１にリエントリ経路ｒ１を介して出力チャンネルｏ２を接続する。そして制御部１２は、マトリックススイッチ１１の出力チャンネルｏ２にリエントリ経路ｒ２を介して接続される入力チャンネルｉ７と出力チャンネルｏ３のクロスポイントにおいて入力チャンネルｉ７と出力チャンネルｏ３を接続する。このようにして、制御部１２は、出力チャンネルｏ２にリエントリ経路ｒ２を介して出力チャンネルｏ３を接続する。
【００２０】
出力チャンネルｏ１から出力される映像信号を、マトリックススイッチ１１の入力チャンネルに戻すリエントリ信号を別の出力チャンネルｏ２、ｏ３に分配することで、出力チャンネルｏ１から出力される信号を、例えば監視装置が接続される他の出力チャンネルｏ２、ｏ３に分配して監視を行うことが可能となる。
【００２１】
また出力チャンネルｏ１に接続されている入力チャンネルｉ１が、他の入力チャンネルに接続するよう接続を切り替えられれば、出力チャンネルｏ１にリエントリ経路を介して接続されているｏ２、ｏ３の出力信号も出力チャンネルｏ１の出力信号と同じ信号に切り替えられる。
【００２２】
リエントリグループ管理部１３は、上記の制御部１２による制御内容に沿って、大元の出力チャンネルｏ１については、通常制御であることを記録する。またリエントリグループ管理部１３は、制御部１２が大元の出力チャンネルｏ１をリエントリ経路ｒ１、ｒ２を介して特定の出力チャンネルｏ２、ｏ３に順番に接続するとき、出力チャンネルｏ２、ｏ３に対応させて大元の出力チャンネルｏ１のグループの識別情報及び上記順番を保持する。
【００２３】
図４は、第１の接続制御における図１の動作を示すフローチャートである。図４に示すようにルーティング装置１の制御方法においては、例えば図２に示すように複数（Ｎ個）の出力チャンネルを同じ１つの入力チャンネルと接続するよう制御部１２が指示される。図２の例では、３つの出力チャンネルｏ１、ｏ２、ｏ３を同じ１つの入力チャンネルｉ１と接続するよう制御部１２が指示されている（ステップＳ１）。
【００２４】
制御部１２は、複数の出力チャンネルのグループ識別情報と大元の出力チャンネルと出力チャンネルの順番を決定する。制御部１２は、図２の例では、図３に示すように、グループ識別情報を例えば「リエントリグループＡ」とし、出力チャンネルｏ１を大元の出力チャンネルとし、出力チャンネルｏ２を１番目、出力チャンネルｏ３を２番目の順番で大元の出力チャンネルに接続することに決定する（ステップＳ２）。そして制御部１２は、入力チャンネルを大元の出力チャンネルに接続する。制御部１２は、図２の例では、入力チャンネルｉ１を出力チャンネルｏ１に接続する（ステップＳ３）。リエントリグループ管理部１３は、大元の出力チャンネルｏ１について通常制御であることを記録する（ステップＳ４）。
【００２５】
まず順番Ｉ＝１とし（ステップＳ５）、制御部１２は、大元の出力チャンネルにリエントリ経路をＩ回経由して接続される入力チャンネルを、順番がＩ番目の出力チャンネルに接続する。図２の例では、制御部１２は、大元の出力チャンネルｏ１にリエントリ経路を１回経由して接続される入力チャンネルｉ６を、順番が１番目の出力チャンネルｏ２に接続する（ステップＳ６）。
【００２６】
リエントリグループ管理部１３は、Ｉ番目の出力チャンネルに対応させて大元の出力チャンネルのグループの識別情報とＩ番目の順番を保持する。図２の例では、順番が１番目の出力チャンネルｏ２に対応させて大元の出力チャンネルｏ１のグループの識別情報である「リエントリグループＡ」と、出力チャンネルｏ２が１番目の順番であることを保持する（ステップＳ７）。
【００２７】
そして制御部１２は、すべての出力チャンネルの接続が終わっていないか判断する。すなわち制御部１２は、順番Ｉ＜Ｎ−１を満たすか判断する（ステップＳ８）。すべての出力チャンネルの接続が終わっていない場合、制御部１２は、順番Ｉを１つ上げてＩ＝Ｉ＋１とし（ステップＳ９）、ステップＳ６に戻る。図２の例ではＮ＝３であり、Ｉ＝１はＮ−１より小さいので、すべての出力チャンネルの接続が終わっていないと判断し、制御部１２は、順番Ｉを１つ上げて２番目とし、ステップＳ６に戻る。図２の例では、制御部１２は、大元の出力チャンネルｏ１にリエントリ経路ｒ１を２回経由して接続される入力チャンネルｉ７を、順番が２番目の出力チャンネルｏ３に接続する（ステップＳ６）。
【００２８】
リエントリグループ管理部１３は、順番が２番目の出力チャンネルｏ３に対応させて大元の出力チャンネルｏ１と、出力チャンネルｏ３が２番目の順番であることを保持する（ステップＳ７）。
【００２９】
ステップＳ８において、順番Ｉは２であり、Ｎ−１（＝２）より小さくないと判断し、処理を終了する。
【００３０】
次に接続が変更される場合の動作について説明する。図５は、図１の制御部に指示される第２の接続制御の概要を示す図である。図５の、左側の図は図２と同じであり、３つの出力チャンネルｏ１、ｏ２、ｏ３が、同じ１つの入力チャンネルｉ１に接続される状態、すなわち同じグループに属する状態である。第２の接続制御は、この状態から、同じグループに属する２つの出力チャンネルｏ２、ｏ３を他の入力チャンネルｉ２と接続する例である。
【００３１】
また図６は、第２の接続制御において図１の制御部１２が行う制御内容であり、リエントリグループ管理部が記憶する内容の一例を示す図である。また図７は、第２の接続制御における図１の動作を示す図である。図５に示される第２の接続制御の指示に沿って、制御部１２は、新たに入力チャンネルｉ２に接続する出力チャンネルｏ２、ｏ３のうち順番が上位の出力チャンネルｏ２を、通常制御とし、図７に示すように入力チャンネルｉ６と接続されていた状態から入力チャンネルｉ２と接続する状態に切り替える。
【００３２】
制御部１２は、出力チャンネルｏ１については通常制御のままとし、図７に示すように入力チャンネルｉ１に接続する状態を維持する。また制御部１２は、出力チャンネルｏ３については、大元の出力チャンネルがｏ２である「リエントリグループＡ」とし、順番を１番とする。もともと出力チャンネルｏ３は、出力チャンネルｏ２と同一のグループで順番が出力チャンネルｏ２の次の順である。したがって、出力チャンネルｏ３は、図７に示すように入力チャンネルｉ７に接続されている。制御部１２は、出力チャンネルｏ３については、この接続を維持すればよく、接続を変更する必要がない。
【００３３】
図８は、第２の接続制御における図１の動作を示すフローチャートである。図８に示すようにルーティング装置１の制御方法においては、例えば新たな映像信号の入力される入力チャンネルを同じグループに属する１以上の出力チャンネルに接続するよう制御部１２が指示される。図５の例では、３個の出力チャンネルｏ１、ｏ２、ｏ３が、同じ１つの入力チャンネルｉ１に接続され同じグループに属している状態から、このうち出力チャンネルｏ２、ｏ３を他の入力チャンネルｉ２に接続するよう制御部１２が指示されている（ステップＳ１１）。
【００３４】
制御部１２は、分断する順番を決定する。図５の例では、図６に示すように、制御部１２は、新たに入力チャンネルｉ２に接続する出力チャンネルｏ２、ｏ３のうち順番が上位の出力チャンネルｏ２の順番、すなわち１番目を、グループを分断する順番と決定する（ステップＳ１２）。
【００３５】
そして制御部１２は、決定された順番の出力チャンネルを新たな入力チャンネルに接続する。制御部１２は、図５の例では、出力チャンネルｏ２を新たな入力チャンネルｉ２に接続する（ステップＳ１３）。リエントリグループ管理部１３は、決定された出力チャンネルｏ２について通常制御であることを記録する（ステップＳ１４）。
【００３６】
そして順番Ｉ＝１とし（ステップＳ１５）、リエントリグループ管理部１３は、決定された順番＋Ｉ番目の出力チャンネルｏ３についてグループ識別情報とＩ番目の順番を保持する。図５の例では、制御部１２は、２番目の出力チャンネルｏ３についてグループ識別情報「リエントリグループＡ」と１番目の順番を保持する（ステップＳ１６）。
【００３７】
そしてすべての出力チャンネルの接続が終わっていないか判断する。すなわち順番Ｉが（新たに入力チャンネルｉ２に接続する出力チャンネルの数）−１を満たすか判断する（ステップＳ１７）。すべての出力チャンネルの接続が終わっていない場合、順番Ｉを１つ上げてＩ＝Ｉ＋１とし（ステップＳ１８）、ステップＳ１６に戻る。図５の例では、Ｉ＝１は（新たに入力チャンネルｉ２に接続する出力チャンネルの数）−１であるので、すべての出力チャンネルの接続が終わったと判断し、処理を終了する。
【００３８】
第２の接続制御では、図６に示すようなグループ識別情報や順番の情報がない場合、出力チャンネルｏ３を通常制御として入力チャンネルｉ２に接続する可能性がある。このような制御とすると、出力チャンネルｏ３の接続を入力チャンネルｉ２に切り替え、出力チャンネルｏ３に接続されるリエントリ経路ｒ３に接続されている入力チャンネルｉ８を特定し、出力チャンネルｏ２の接続を入力チャンネルｉ８に切り替える必要がある。
【００３９】
本実施形態によれば、同じ入力チャンネルｉ１に接続される複数の出力チャンネルｏ１、ｏ２、ｏ３をグループ化し、大元の出力チャンネルｏ１にリエントリ経路ｒ１、ｒ２を介して順番に接続される特定の出力チャンネルｏ２、ｏ３についてグループ識別情報及び順番が保持される。この構成により、同一のグループに属している複数の出力チャンネルｏ２、ｏ３をまとめて新たな入力チャンネルｉ２に接続する指示に対し、大元の出力チャンネルに接続される順番が最も上位の出力チャンネルｏ２を容易に特定でき、この出力チャンネルｏ２の接続を切り替えることで、指示に沿った接続が実現できる。したがって本実施形態によれば、リエントリ入力の制御を高速化することができる。
【００４０】
次に接続が変更される場合の他の例の動作について説明する。図９は、図１の制御部に指示される第３の接続制御の概要を示す図である。図９の、左側の図は、５個の出力チャンネルｏ１、ｏ２、ｏ３、ｏ４、ｏ５が、同じ１つの入力チャンネルｉ１に接続される状態、すなわち同じグループに属する状態である。第３の接続制御は、この状態から、同じグループに属する出力チャンネルｏ３、ｏ４、ｏ５を他の入力チャンネルｉ２と接続する例である。
【００４１】
また図１０は、第３の接続制御において図１の制御部１２が行う制御内容であり、リエントリグループ管理部が記憶する内容の一例を示す図である。また図１１は、第３の接続制御における図１の動作を示す図である。図９に示される第３の接続制御の指示に沿って、制御部１２は、新たに入力チャンネルｉ２に接続する出力チャンネルｏ３、ｏ４、ｏ５のうち順番が最も上位の出力チャンネルｏ３を、通常制御とし、図１１に示すように入力チャンネルｉ７と接続されていた状態から入力チャンネルｉ２と接続する状態に切り替える。
【００４２】
制御部１２は、出力チャンネルｏ１については通常制御のままとし、入力チャンネルｉ１に接続する状態を維持する。制御部１２は、出力チャンネルｏ２については大元の出力チャンネルがｏ１である「リエントリグループＡ」とし、順番が１番の状態を維持する。
【００４３】
また制御部１２は、出力チャンネルｏ４、ｏ５については、大元の出力チャンネルがｏ３である「リエントリグループＢ」とし、順番をそれぞれ１番、２番とする。もともと出力チャンネルｏ４、ｏ５は、出力チャンネルｏ３と同一のグループに属しており、出力チャンネルｏ４は、順番が出力チャンネルｏ３の次の順であり、出力チャンネルｏ５は、出力チャンネルｏ４の次の順番である。したがって、出力チャンネルｏ４、ｏ５は、図１１に示すようにそれぞれ入力チャンネルｉ８、ｉ９に接続されている。制御部１２は、出力チャンネルｏ４、ｏ５については、この接続を維持すればよく、接続を変更する必要がない。
【００４４】
第３の接続制御における図１の動作について説明する。まず図９に示すように、５個の出力チャンネルｏ１、ｏ２、ｏ３、ｏ４、ｏ５が、同じ１つの入力チャンネルｉ１に接続され同じグループに属している状態から、このうち出力チャンネルｏ３、ｏ４、ｏ５を他の入力チャンネルｉ２と接続するよう制御部１２が指示されている（ステップＳ１１）。
【００４５】
次に制御部１２は、新たに入力チャンネルｉ２に接続する出力チャンネルｏ３、ｏ４、ｏ５のうち順番が最も上位である出力チャンネルｏ３の順番、すなわち２番目を、グループを分断する順番と決定する（ステップＳ１２）。
【００４６】
そして制御部１２は、決定された順番の出力チャンネルｏ３を新たな入力チャンネルｉ２に接続する（ステップＳ１３）。リエントリグループ管理部１３は、決定された出力チャンネルｏ３について通常制御であることを記録する（ステップＳ１４）。
【００４７】
そして順番Ｉ＝１とし（ステップＳ１５）、リエントリグループ管理部１３は、決定された順番＋Ｉ番目、すなわち３番の出力チャンネルｏ４についてグループ識別情報「リエントリグループＢ」とＩ番目、すなわち１番目の順番を保持する（ステップＳ１６）。
【００４８】
そして順番Ｉ＝１が（新たに入力チャンネルｉ２に接続する出力チャンネルの数）−１を満たすか判断する（ステップＳ１７）。Ｉ＝１のときはすべての出力チャンネルの接続が終わっていないと判断し、順番Ｉを１つ上げてＩ＝２とし（ステップＳ１８）、ステップＳ１６に戻る。
【００４９】
リエントリグループ管理部１３は、決定された順番＋Ｉ番目、すなわち４番の出力チャンネルｏ５についてグループ識別情報「リエントリグループＢ」とＩ番目、すなわち２番目の順番を保持する（ステップＳ１６）。そして順番Ｉ＝１が（新たに入力チャンネルｉ２に接続する出力チャンネルの数）−１を満たすか判断する（ステップＳ１７）。Ｉ＝２は（新たに入力チャンネルｉ２に接続する出力チャンネルの最後の順番）−１を満たすので、すべての出力チャンネルの接続が終わったと判断し、処理を終了する。
【００５０】
第３の接続制御では、図１０に示すようなグループ識別情報や順番の情報がない場合、例えば出力チャンネルｏ４を通常制御として入力チャンネルｉ２に接続する可能性がある。このような制御とすると、出力チャンネルｏ４の接続を入力チャンネルｉ２に切り替え、出力チャンネルｏ４に接続されるリエントリ経路ｒ４に接続されている入力チャンネルｉ９を特定し、他の出力チャンネルｏ３の接続を入力チャンネルｉ９に切り替える必要がある。さらに出力チャンネルｏ３に接続されるリエントリ経路ｒ３に接続されている入力チャンネルｉ８を特定し、残りの出力チャンネルｏ５の接続を入力チャンネルｉ８に切り替える必要がある。第３の接続制御のように同じ入力チャンネルに接続する出力チャンネルが多くなるほどリエントリ入力の制御に時間がかかることになる。
【００５１】
本実施形態によれば、第３の接続制御でも同一のグループに属している出力チャンネルｏ３、ｏ４、ｏ５をまとめて他の入力チャンネルｉ２と接続する指示に対し、順番が最上位の出力チャンネルｏ３を容易に特定でき、この出力チャンネルｏ２の接続を切り替えることで、指示に沿った接続が実現できる。したがって本実施形態によれば、リエントリ入力の制御を高速化することができる。
【００５２】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００５３】
１    ルーティング装置
１１    マトリックススイッチ
１２    制御部
１３    リエントリグループ管理部
【図１】
2020005220.tif 000003
【図２】
2020005220.tif 000004
【図３】
2020005220.tif 000005
【図４】
2020005220.tif 000006
【図５】
2020005220.tif 000007
【図６】
2020005220.tif 000008
【図７】
2020005220.tif 000009
【図８】
2020005220.tif 000010
【図９】
2020005220.tif 000011
【図１０】
2020005220.tif 000012
【図１１】
2020005220.tif 000013